(57)【要約】  安全剃刀用シェービングエイドボディ（１０）が提供される。本シェービングエイドボディは、１つまたはそれ以上の接触部分（１２）と、１つまたはそれ以上の非接触部分（１４）と、１つの開口（１６）とを有している。開口は、ハウジングを、ハウジング内に収容されている１枚またはそれ以上のレザーブレード（２２）と共に受入れるようなサイズである。本シェービングエイドボディの幾つかの実施の形態においては、接触部分は非接触部分と連続しており、一緒になって凸面（７０）を限定している。本シェービングエイドボディの幾つかの実施の形態は、ボディ内に埋め込まれたベースを含み、ベースはシェービングエイドボディを安全剃刀に取付けるための１つまたはそれ以上の機構を有する。
2009500142.tif 000002
【特許請求の範囲】
【請求項１】
安全剃刀用シェービングエイドボディ（１０）であって、
前記シェービングエイドボディ（１０）が未使用状態にある時には、少なくとも１つの非接触部分（１４）から隆起している少なくとも１つの接触部分（１２）と、
前記シェービングエイドボディ（１０）内に配置されている開口（１６）と、
を含み、
前記少なくとも１つの接触部分（１２）の最高の３点が１つの面（４０）を限定し、前記少なくとも１つの非接触部分（１４）が前記面（４０）に平行な１つの表面を限定し、
前記シェービングエイドボディ（１０）は、前記面（４０）上に投影された前記接触部分（１２）の面積及び前記非接触部分（１４）の面積から、前記面（４０）上に投影された前記開口（１６）の面積を除外した面積として定義される投影面積（６０）を有し、
前記接触部分（１２）は、前記面（４０）上に投影された前記接触部分（１２）の面積から、前記接触部分（１２）内に位置し前記面（４０）上に投影された前記開口（１６）の面積を除外した面積として定義される接触面積を有し、
前記接触面積は、前記シェービングエイドボディ（１０）の前記投影面積（６０）の50％より大きくなく、
前記シェービングエイドボディ（１０）が使用されると前記接触部分（１２）が浸食されてシェービングエイドが第１のレートでユーザの肌に塗布され、
前記接触部分が実質的に平坦になるように浸食されると前記シェービングエイドが前記第１のレートより高い第２のレートで前記ユーザの肌に塗布される、
ことを特徴とするシェービングエイドボディ（１０）。
【請求項２】
前記接触面積は、前記投影面積（６０）の20％より大きくないことを特徴とする請求項１に記載のシェービングエイドボディ（１０）。
【請求項３】
前記接触面積は、前記投影面積（６０）の10％より大きくないことを特徴とする請求項１に記載のシェービングエイドボディ（１０）。
【請求項４】
前記投影面積（６０）は、長さ（６２）及び幅（６４）を有し、前記長さ（６２）は前記幅（６４）より大きいことを特徴とする請求項１に記載のシェービングエイドボディ（１０）。
【請求項５】
前記投影面積（６０）は、実質的に長円形であることを特徴とする請求項４に記載のシェービングエイドボディ（１０）。
【請求項６】
前記接触部分（１２）及び前記非接触部分（１４）は連続していて１つの表面を限定しており、前記表面は前記長さ（６２）に平行な且つ前記面（４０）に直角な方向に凸であることを特徴とする請求項４に記載のシェービングエイドボディ（１０）。
【請求項７】
前記凸は、少なくとも35ｍｍの半径を有する円弧（１３２）を限定していることを特徴とする請求項６に記載のシェービングエイドボディ（１０）。
【請求項８】
前記凸は、約65ｍｍの半径を有する円弧（１３２）を限定していることを特徴とする請求項６に記載のシェービングエイドボディ（１０）。
【請求項９】
前記接触部分（１２）及び前記非接触部分（１４）は連続していて１つの表面を限定しており、前記表面は前記幅（６４）に平行な且つ前記面（４０）に直角な方向に凸であることを特徴とする請求項４に記載のシェービングエイドボディ（１０）。
【請求項１０】
前記凸は、少なくとも15ｍｍの半径を有する円弧（１３２）を限定していることを特徴とする請求項９に記載のシェービングエイドボディ（１０）。
【請求項１１】
前記凸は、約26ｍｍの半径を有する円弧（１３２）を限定していることを特徴とする請求項９に記載のシェービングエイドボディ（１０）。
【請求項１２】
前記接触部分（１２）及び前記非接触部分（１４）は連続していて１つの表面を限定しており、前記表面は前記長さ（６２）に平行な且つ前記面（４０）に直角な方向に凸であり、また前記幅（６４）に平行な且つ前記面（４０）に直角な方向に凸であることを特徴とする請求項４に記載のシェービングエイドボディ（１０）。
【請求項１３】
前記接触部分（１２）及び前記非接触部分（１４）は連続していて１つの表面を限定しており、前記表面は前記長さ（６２）に平行な且つ前記面（４０）に直角な方向に凹であることを特徴とする請求項４に記載のシェービングエイドボディ（１０）。
【請求項１４】
前記接触部分（１２）及び前記非接触部分（１４）は連続していて１つの表面を限定しており、前記表面は前記幅（６４）に平行な且つ前記面（４０）に直角な方向に凹であることを特徴とする請求項４に記載のシェービングエイドボディ（１０）。
【請求項１５】
前記接触部分（１２）及び前記非接触部分（１４）は連続していて１つの表面を限定しており、前記表面は前記長さ（６２）に平行な且つ前記面（４０）に直角な方向に凹であり、また前記幅（６４）に平行な且つ前記面（４０）に直角な方向に凹であることを特徴とする請求項４に記載のシェービングエイドボディ（１０）。
【請求項１６】
前記接触部分（１２）及び前記非接触部分（１４）は連続していて１つの表面を限定しており、前記表面は前記幅（６４）に平行な且つ前記面（４０）に直角な方向に１つより多くのピークを有していることを特徴とする請求項４に記載のシェービングエイドボディ（１０）。
【請求項１７】
前記接触部分（１２）及び前記非接触部分（１４）は連続していて１つの表面を限定しており、前記表面は前記長さ（６２）に平行な且つ前記面（４０）に直角な方向に凸であることを特徴とする請求項５に記載のシェービングエイドボディ（１０）。
【請求項１８】
前記凸は、少なくとも50ｍｍの半径を有する円弧（１３２）を限定していることを特徴とする請求項１７に記載のシェービングエイドボディ（１０）。
【請求項１９】
前記凸は、約65ｍｍの半径を有する円弧（１３２）を限定していることを特徴とする請求項１７に記載のシェービングエイドボディ（１０）。
【請求項２０】
前記接触部分（１２）及び前記非接触部分（１４）は連続していて１つの表面を限定しており、前記表面は前記幅（６４）に平行な且つ前記面（４０）に直角な方向に凸であることを特徴とする請求項５に記載のシェービングエイドボディ（１０）。
【請求項２１】
前記凸は、少なくとも15ｍｍの半径を有する円弧（１３２）を限定していることを特徴とする請求項２０に記載のシェービングエイドボディ（１０）。
【請求項２２】
前記凸は、約26ｍｍの半径を有する円弧（１３２）を限定していることを特徴とする請求項２０に記載のシェービングエイドボディ（１０）。
【請求項２３】
前記接触部分（１２）及び前記非接触部分（１４）は連続していて１つの表面を限定しており、前記表面は前記長さ（６２）に平行な且つ前記面（４０）に直角な方向に凸であり、また前記幅（６４）に平行な且つ前記面（４０）に直角な方向に凸であることを特徴とする請求項５に記載のシェービングエイドボディ（１０）。
【請求項２４】
前記接触部分（１２）及び前記非接触部分（１４）は連続していて１つの表面を限定しており、前記表面は前記長さ（６２）に平行な且つ前記面（４０）に直角な方向に凹であることを特徴とする請求項５に記載のシェービングエイドボディ（１０）。
【請求項２５】
前記接触部分（１２）及び前記非接触部分（１４）は連続していて１つの表面を限定しており、前記表面は前記幅（６４）に平行な且つ前記面（４０）に直角な方向に凹であることを特徴とする請求項５に記載のシェービングエイドボディ（１０）。
【請求項２６】
前記接触部分（１２）及び前記非接触部分（１４）は連続していて１つの表面を限定しており、前記表面は前記長さ（６２）に平行な且つ前記面（４０）に直角な方向に凹であり、また前記幅（６４）に平行な且つ前記面（４０）に直角な方向に凹であることを特徴とする請求項５に記載のシェービングエイドボディ（１０）。
【請求項２７】
前記接触部分（１２）及び前記非接触部分（１４）は連続していて１つの表面を限定しており、前記表面は前記幅（６４）に平行な且つ前記面（４０）に直角な方向に１つより多くのピークを有していることを特徴とする請求項５に記載のシェービングエイドボディ（１０）。
【請求項２８】
前記シェービングエイドボディ（１０）は、前記シェービングエイドボディ（１０）内に埋め込まれているベース（５０）を有することを特徴とする請求項１に記載のシェービングエイドボディ（１０）。
【請求項２９】
前記ベース（５０）は、前記シェービングエイドボディ（１０）を安全剃刀に結合するための１つまたはそれ以上の機構（５２）を含むことを特徴とする請求項２８に記載のシェービングエイドボディ（１０）。
【請求項３０】
安全剃刀組立体であって、
ハンドルと、
前記ハンドルに取り外し可能に結合されているハウジング（２０）と、
を含み、
前記ハウジング（２０）は、前記ハウジング（２０）内に配置されている１枚またはそれ以上のレザーブレード（２２）を有し、
前記安全剃刀組立体は、更に、前記ハンドルに取り外し可能に結合されているシェービングエイドボディ（１０）を含み、
前記シェービングエイドボディ（１０）は、
未使用状態において、少なくとも１つの接触部分（１２）及び少なくとも１つの非接触部分（１４）と、
前記シェービングエイドボディ（１０）内に配置されている開口（１６）と、
を含み、
前記少なくとも１つの接触部分（１２）の最高の３点は１つの面（４０）を限定し、前記少なくとも１つの非接触部分（１４）は前記面（４０）に平行な１つの表面を限定し、
前記シェービングエイドボディ（１０）は、前記面（４０）上に投影された前記接触部分（１２）の面積及び前記非接触部分（１４）の面積から、前記面（４０）上に投影された前記開口（１６）の面積を除外した面積として定義される投影面積（６０）を有し、
前記接触部分（１２）は、前記面（４０）上に投影された前記接触部分（１２）の面積から、前記接触部分（１２）内に位置し前記面（４０）上に投影された前記開口（１６）の面積を除外した面積として定義される接触面積を有し、
前記接触面積は、前記シェービングエイドボディ（１０）の前記投影面積（６０）の50％より大きくなく、
前記シェービングエイドボディ（１０）が使用されると前記接触部分（１２）が浸食されてシェービングエイドが第１のレートでユーザの肌に塗布され、
前記接触部分が実質的に平坦になるように浸食されると前記シェービングエイドが前記第１のレートより高い第２のレートで前記ユーザの肌に塗布される、
ことを特徴とする安全剃刀組立体。
【請求項３１】
前記シェービングエイドボディ（１０）は、前記シェービングエイドボディ（１０）を前記ハンドルにピボット結合するためのベース（５０）を含むことを特徴とする請求項３０に記載の安全剃刀組立体。
【請求項３２】
前記投影面積（６０）は、実質的に長円形であることを特徴とする請求項３１に記載の安全剃刀組立体。
【請求項３３】
前記接触部分（１２）及び前記非接触部分（１４）は連続していて１つの表面を限定しており、前記表面は前記幅（６４）に平行な且つ前記面（４０）に直角な方向に凸であることを特徴とする請求項３２に記載の安全剃刀組立体。
【請求項３４】
前記凸は、約65ｍｍの半径を有する円弧（１３２）を限定していることを特徴とする請求項３３に記載の安全剃刀組立体。
【発明の詳細な説明】
【技術分野】
【０００１】
本発明は、一般的にはシェービングデバイスに関し、より特定的には安全剃刀のためのシェービングエイド（shaving aid）ボディに関する。
【背景技術】
【０００２】
幾つかの近代的な安全剃刀は、再使用可能なハンドルに取外し可能に結合される使い捨てレザーカートリッジを含んでいる。他の近代的な安全剃刀は、恒久的に結合され、単一のユニットとして使い捨てされるようになっているハンドル及びレザーカートリッジを有している。殆どのレザーカートリッジは、ハウジング内に配置されている１枚またはそれ以上のレザーブレードを含み、またハウジングに取付けられるシェービングエイド材料のストリップを更に含んでいる。シェービングエイド材料のストリップは、典型的に、シェービングプロセスの効果を高めるために、シェービング動作中に肌に塗布される１つまたはそれ以上のシェービングエイド（例えば、潤滑剤、抗引きずり剤、脱毛剤、清浄剤、薬効剤等）を含む。一般的に、このストリップ内に含まれるシェービングエイドの体積は、それだけで使用するには不十分であり、ユーザは潤滑機能、抗引きずり機能等の大部分を得るためにシェービングフォーム、シェービングジェル、またはシェービングクリームのようなシェービング調合剤を別途使用し、シェービングエイドストリップの特性はこれらの効果を高めるためにだけ使用されている。
【０００３】
特定の安全剃刀が快適さ及び性能を提供するとしても、そのレザー組立体が商業的に成功するかどうかは微妙である。レザーの快適さ、性能、及び使用の容易さを向上させはするが、改良が重大であったり、または困難である場合には、レザー組立体の商業的な成功に疑いのないインパクトを与え得る。例えば多くの消費者、特に女性は、例えばシャワー内のような湿ったシェービング環境内でシェーブすることが望ましいことを見出した。不幸にも湿ったシェービング環境内の水は、典型的に、表面がシェーブ可能になる前にシェービング調合剤を除去してしまう。その結果、シェービング調合剤によって遂行される機能は実行されなくなる。
【０００４】
本特許出願の譲渡人によって製造され、販売されているインテュイション（IntuitionTM）として知られる新しい型の安全剃刀の第１の商用実施の形態においては、水溶性で、浸食可能なシェービングエイドボディを備えた安全剃刀用交換可能カートリッジが提供されている。インテュイションのシェービングエイドボディは、シェービングエイドボディ内に位置する開口を含む。この開口は、１枚またはそれ以上のレザーブレードを収容しているハウジングを受入れるようなサイズである。シェービングエイドボディは、未使用シェービングエイドボディがそれと接触して配置された時に１つの面と接触する接触部分と、未使用シェービングエイドボディがそれと接触して配置された時に前記面と接触しない非接触部分とを有している。未使用シェービングエイドボディは、各々が接触部分の最高の３点によって限定される面上に投影された接触部分の面積、及び非接触部分の面積から、その面上に投影された開口の面積を除外した面積として定義される投影面積を有している。接触部分は、上述した面上に投影された接触部分の面積から、その面上に投影された開口の面積を除外した面積として定義される。使用中、シェービングエイドボディの接触部分が浸食されると、接触部分の最高３点を通る面の位置が変化する。１つまたはそれ以上のレザーブレードの刃先は、ハンドル内のセルフレベリングメカニズムによってこの面とほぼ一致する関係に維持される。インテュイションのハンドルのセルフレベリングメカニズムは、Pennellaらの米国特許出願第10 / 367,255号に開示されているので参照されたい。インテュイションの未使用シェービングエイドボディの投影面積は、約928ｍｍ2である。インテュイションの接触部分は約496ｍｍ2の投影面積を有している。インテュイションのシェービングエイドボディの接触部分は実質的に平坦であるので、前記面を限定する最高３点を接触部分のどの位置にも選択することができる。インテュイションのシェービングエイドボディの接触部分は実質的に平坦であるので、シェービングエイドボディからのシェービングエイドの浸食のレート及びユーザの肌上への堆積は高く、この剃刀の新しいユーザにとって、始めに過大な潤滑または抗引きずりを与える可能性がある。新しいユーザにとって必要なのは、シェービングエイドの堆積レートが初めは低いが、比較的急速に全速まで増加する‘学習曲線’であるので、これがインテュイションを使ったことがあるあるユーザを思いとどまらせることはない。
【０００５】
インテュイション安全剃刀は、ハウジングと、その中に位置決めされているレザーブレードとを含み、ハウジングはハンドルにピボット取付けされる。インテュイションのシェービングエイドボディは、ハンドルにピボット取付けされない。Bunnellらの米国特許出願はハンドルにピボット取付けされるシェービングエイドボディを開示している。Bunnellのデバイスは、ハンドルにピボット結合された時に使用のために最適化されるが、インテュイションのハンドルに結合された時にはユーザを思いとどまらせないようにする接触部分及び非接触部分を有するシェービングエイドボディを必要とする。
【発明の開示】
【発明が解決しようとする課題】
【０００６】
従って、当分野においては、使用と共に、ユーザの肌上へのシェービングエイドの堆積速度が増加するような安全剃刀用シェービングエイドボディに対する要望が存在している。本発明の第２の態様に関連して、当分野においては、ハンドルにピボット取付けされた時に使用のために最適化されるようなシェービングエイドボディに対する要望が存在している。
【課題を解決するための手段】
【０００７】
本発明のシェービングエイド（補助）ボディは、その未使用状態において、少なくとも１つの接触部分と、少なくとも１つの非接触部分とを含む。シェービングエイドボディは更に、１つの開口を有している。この開口は、内部に１枚またはそれ以上のレザーブレードを収容しているハウジングを受入れるようなサイズである。接触部分の最高３点が１つの面を限定する。シェービングエイドボディは、前記面上に投影された接触部分の面積及び非接触部分の面積から、前記面上に投影された開口の面積を除外した面積として定義される投影面積を有している。接触部分は、前記面上に投影された接触部分の面積から、前記接触部分内に位置し、前記面上に投影された開口、または開口の何等かの部分の面積を除外した面積として定義される接触面積を有している。接触面積は、シェービングエイドボディの投影面積の50％より大きくない。好ましくは、シェービングエイドボディの投影面積は、実質的に長円形である。
【０００８】
本発明のさらなる実施の形態においては、接触部分及び非接触部分は連続しており、凸面を限定している。凸面が半径方向寸法を限定していることが好ましい。
【０００９】
シェービングエイドボディは、水溶性であって使用中に浸食されることが好ましい。シェービングエイドボディは、シェービングエイドボディが浸食されるにつれてハウジング内の１枚またはそれ以上のレザーブレードの位置を接触部分の最高３点の面とほぼ一致させ続けることを可能にするような安全剃刀組立体のハンドルと共に使用される場合に重要な効用を提供する。しかしながら、本シェービングエイドボディはこのような用途に限定されるものではない。
【００１０】
本発明のこれらの、及び他の目的、特色、及び長所は、以下の本発明の詳細な説明から明白になるであろう。
【発明を実施するための最良の形態】
【００１１】
図１−５を参照する。安全剃刀（これらの図面には示されていない）と共に使用するシェービングエイドボディ１０は、その未使用状態において、接触部分１２及び非接触部分１４を含む。シェービングエイドボディは更に、ハウジング２０を受入れるサイズの開口１６を含む。ハウジングは、１枚またはそれ以上のレザーブレード２２を有し、各レザーブレードはハウジング内に位置する刃先２４を有している。ハウジングは更に、ガード３０、キャップ３２、及びシェービングエイドストリップ３４を含むことができる。面４０は、接触部分の最高の３点を通る面として限定される。レザーブレードの刃先は、この面とほぼ一致している。シェービングエイドボディは、その中に埋め込まれたベース５０を有している。ベースは、シェービングエイドボディを安全剃刀に結合するための１つまたはそれ以上の機構を有している。
【００１２】
シェービングエイドボディは、用途に適合するように選択されたシェービングエイド材料からなる浸食可能な中実のボディであることが好ましい。中実の石鹸型のシェービングエイド材料は特に湿ったシェービング用途に適しているが、代替として他のシェービングエイド材料（例えば、潤滑剤、抗引きずり剤、脱毛剤、清浄剤、薬効剤、知覚剤、肌刺激剤、等）、またはこれらのある組合せを使用することもできる。
【００１３】
図３を参照する。シェービングエイドボディの接触部分及び非接触部分は、面４０上に投影された投影面積６０を限定している。図示のように、投影面積は実質的に長円形であることが好ましく、この長円形は長さ６２及び幅６４を有している。長さは、シェービングエイドボディの投影面積の、刃先２４に平行な最大寸法として定義される。幅は、シェービングエイドボディの投影面積の、長さに直角な最大寸法として定義される。投影面積の表面積からは、前記面上に投影された開口１６の面積は除外されている。長さは、幅よりも大きいことが好ましい。接触部分は、前記面上に投影された接触面積６６を有している。合計接触面積は、シェービングエイドボディの投影面積の50％より大きくない。使用中にシェービングエイドボディが浸食されるにつれて、接触面積は増加して行く。理論的には、ある使用の後に、接触面積は投影面積の100％に等しくなる。しかしながら、当分野に精通していれば理解されるように、投影面積に対する使用済みシェービングエイドボディの接触面積の割合は、個々のユーザのシェービングの習癖に依存する。図４及び５は、図３と同一の方向から見た本発明のさらなる態様を示す図である。図４においては、接触部分６７の合計接触面積はシェービングエイドボディの投影面積の20％より大きくない。図５においては、接触部分６８の合計接触面積はシェービングエイドボディの投影面積の10％より大きくない。
【００１４】
図６に第２の実施の形態を、幅と平行な方向から見た断面で示す。接触部分及び非接触部分は連続しており、凸面７０を限定している。本明細書に使用する“凸”と言う用語は、その表面が必ずしも滑らかに湾曲していることを意味するものではないことを理解されたい。それは、その表面がその両端７２、７４から接触部分の最高３点の面まで上方に延びていることだけを暗示しているのである。この凸面は、少なくとも15ｍｍの、より好ましくは約26ｍｍの半径方向寸法７６を限定していることが好ましい。図７は、図６の実施の形態のさらなる態様を示すものであって、凸面７７は滑らかに湾曲していない。
【００１５】
図８−９はそれぞれ、本発明のシェービングエイドボディの第３の実施の形態の、接触部分の３つの最高点の面に垂直な方向から見たシェービングエイドボディの前面図、及び前記面に平行な方向から見た上面図である。接触部分及び非接触部分は連続しており、凸面９０を限定している。
【００１６】
図１０−１１はそれぞれ、本発明のシェービングエイドボディの第４の実施の形態の、接触部分の３つの最高点の面に垂直な方向から見たシェービングエイドボディの前面図、及び前記面に平行な方向から見た上面図である。接触部分及び非接触部分は連続しており、凹面１００を限定している。
【００１７】
図１２−１３はそれぞれ、本発明のシェービングエイドボディの第５の実施の形態の、接触部分の３つの最高点の面に垂直な方向から見たシェービングエイドボディの前面図、及び前記面に平行な方向から見た上面図である。接触部分及び非接触部分は連続しており、１つより多くのピーク１１２を有する表面１１０を限定している。シェービングエイドボディが４つまたはそれ以上のピークを有するような場合には、３つの最高点を通る１つより多くの面１１４、１１６が限定され得る。シェービングエイドボディの接触面積及び投影面積を定義する目的から、これらの面積は３つの最高点を通る全ての考え得る面に対して定義すべきである。
【００１８】
図１４に示す安全剃刀１２０は、それに結合されたシェービングエイドボディ１０を有している。シェービングエイドボディの接触部分及び非接触部分は連続しており、凸面１３０を限定している。この凸面は、好ましくは、長さに平行な弧１３２を限定し、少なくとも35ｍｍの、そしてより好ましくは約65ｍｍの半径を有している。
【００１９】
以上に、添付図面を参照して本発明を詳述したが、他のバージョンも可能である。従って、本発明の思想及び範囲は、以上に説明した好ましいバージョンの記述に限定されるべきではないことを理解されたい。
【図面の簡単な説明】
【００２０】
【図１】本発明のシェービングエイドボディを上方から見た斜視図である。
【図２】図１の２−２矢視断面図である。
【図３】本発明を、接触部分の最高３点の面に平行な方向から見た図である。
【図４】接触部分の最高３点の面に平行な方向から見た本発明の第２の態様を示す図である。
【図５】接触部分の最高３点の面に平行な方向から見た本発明の第３の態様を示す図である。
【図６】図２と同一の位置において得た本発明の第２の実施の形態の断面図である。
【図７】図２と同一の位置において得た図６の実施の形態のさらなる態様を示す断面図である。
【図８】接触部分の最高３点の面に垂直な方向から見た本発明の第２の実施の形態の正面図である。
【図９】接触部分の最高３点の面に平行な方向から見た図８の実施の形態を示す図である。
【図１０】接触部分の最高３点の面に垂直な方向から見た本発明の第３の実施の形態の正面図である。
【図１１】接触部分の最高３点の面に平行な方向から見た図１０の実施の形態を示す図である。
【図１２】接触部分の最高３点の面に垂直な方向から見た本発明の第４の実施の形態の正面図である。
【図１３】接触部分の最高３点の面に平行な方向から見た図１２の実施の形態を示す図である。
【図１４】安全剃刀のハンドルに結合された本発明のシェービングエイドボディを上方から見た斜視図である。
【図１】
2009500142.tif 000003
【図２】
2009500142.tif 000004
【図３】
2009500142.tif 000005
【図４】
2009500142.tif 000006
【図５】
2009500142.tif 000007
【図６】
2009500142.tif 000008
【図７】
2009500142.tif 000009
【図８】
2009500142.tif 000010
【図９】
2009500142.tif 000011
【図１０】
2009500142.tif 000012
【図１１】
2009500142.tif 000013
【図１２】
2009500142.tif 000014
【図１３】
2009500142.tif 000015
【図１４】
2009500142.tif 000016
【国際調査報告】
2009500142.tif 000017
2009500142.tif 000018